【手続補正書】
【提出日】平成20年3月27日(2008.3.27)
【手続補正１】
【補正対象書類名】明細書
【補正対象項目名】特許請求の範囲
【補正方法】変更
【補正の内容】
【特許請求の範囲】
【請求項１】
記憶部に記憶されたデータ中のアイテムから頻出アイテムを抽出する頻出アイテム抽出手段と、
前記各アイテムと頻出アイテムとの共起確率分布の偏りに基づいて、前記アイテムから特徴アイテムを抽出する特徴アイテム抽出手段と、
を備えることを特徴とする特徴アイテム抽出システム。
【請求項２】
前記データは、文章またはその一部であり、
前記アイテムは、単数または複数の語であることを特徴とする請求項１記載の特徴アイテム抽出システム。
【請求項３】
前記共起確率は、
同じ文中での共起に基づいて算出されることを特徴とする請求項２記載の特徴アイテム抽出システム。
【請求項４】
前記共起確率は、
前記頻出アイテムの前後における規定された語数の範囲での共起に基づいて算出されることを特徴とする請求項２記載の特徴アイテム抽出システム。
【請求項５】
前記頻出アイテムは、
同じ文中に現れる確率の比較的高いものどうしがまとめられてクラスタ化されており、
前記共起確率分布の偏りの算出は、
前記各アイテムと、前記クラスタ化された頻出アイテムとの間で行われることを特徴とする請求項２〜４のいずれか１項記載の特徴アイテム抽出システム。
【請求項６】
前記特徴アイテム抽出手段は、
前記データ中における各頻出アイテムの頻度分布を示す情報を取得するステップと、
前記頻出アイテムと各アイテムとの共起度の頻度分布を示す情報を取得するステップと、
各頻出アイテムの頻度分布を示す情報と、前記共起度の頻度分布を示す情報とに基づいて、前記共起確率分布の偏りを取得するステップと、
を行うことを特徴とする請求項１〜５のいずれか１項記載の特徴アイテム抽出システム。
【請求項７】
前記各頻出アイテムの頻度分布を示す情報とは、
各頻出アイテムの出現確率を示す情報であることを特徴とする請求項６記載の特徴アイテム抽出システム。
【請求項８】
前記共起確率分布の偏りは、
下記式におけるχ２
値の大きさとして算出されることを特徴とする請求項１〜７のいずれか１項記載の特徴アイテム抽出システム。
【数１】
2003067412.tif 000001
ただし、この式において、
ｗ：アイテム、
ｇ：頻出アイテム、
Ｇ：全頻出アイテムの集合
ｐｇ
：頻出アイテム(g)の出現確率、
ｎｗ
：アイテム(w)と全頻出アイテムの集合(Ｇ)中の頻出アイテムとの共起頻度の総数、
cooc(w,g)：アイテム(w)と頻出アイテム(ｇ)との共起度数、である。
【請求項９】
pｇ =（頻出アイテム(ｇ)の出現頻度）／（集合(Ｇ)に属する頻出アイテム(ｇ)全体の出現頻度の合計）であり、ｎｗ
は、アイテム(ｗ)と集合(Ｇ)中の頻出アイテム(ｇ)との共起頻度の総数であることを特徴とする請求項８に記載の特徴アイテム抽出システム。
【請求項１０】
ｐｇ
＝（頻出アイテム(ｇ)が出現する文の語数の合計）／（文書全体の語数の合計）であり、ｎｗ
は、前記アイテム(ｗ)が出現する文の語数の合計であることを特徴とする請求項８に記載の特徴アイテム抽出システム。
【請求項１１】
データ中のアイテムから頻出アイテムを抽出する頻出アイテム抽出ステップと、
各アイテムと頻出アイテムとの共起確率分布の偏りに基づいて、前記アイテムから特徴アイテムを抽出する特徴アイテム抽出ステップと、
を備えることを特徴とする特徴アイテム抽出方法。
【請求項１２】
コンピュータに、
請求項１１に記載の方法を実行させることを特徴とするコンピュータで実行または読み取り可能なプログラム。
【手続補正２】
【補正対象書類名】明細書
【補正対象項目名】０００５
【補正方法】変更
【補正の内容】
【０００５】
【課題を解決するための手段】請求項１は、以下の手段を備える特徴アイテム抽出システムとされている。
記憶部に記憶されたデータ中のアイテムから頻出アイテムを抽出する頻出アイテム抽出手段と、前記各アイテムと頻出アイテムとの共起確率分布の偏りに基づいて、前記アイテムから特徴アイテムを抽出する特徴アイテム抽出手段。
【手続補正３】
【補正対象書類名】明細書
【補正対象項目名】０００６
【補正方法】変更
【補正の内容】
【０００６】
請求項２は、請求項１記載の特徴アイテム抽出システムにおいて、前記アイテムを、単数または複数の語であるとしたものである。
【手続補正４】
【補正対象書類名】明細書
【補正対象項目名】０００７
【補正方法】変更
【補正の内容】
【０００７】
請求項３は、請求項２記載の特徴アイテム抽出システムにおいて、前記共起確率を、同じ文中での共起に基づいて算出するものである。
【手続補正５】
【補正対象書類名】明細書
【補正対象項目名】０００８
【補正方法】変更
【補正の内容】
【０００８】
請求項４は、請求項２記載の特徴アイテム抽出システムにおいて、前記共起確率を、前記頻出アイテムの前後における規定された語数の範囲での共起に基づいて算出するものである。
【手続補正６】
【補正対象書類名】明細書
【補正対象項目名】０００９
【補正方法】変更
【補正の内容】
【０００９】
請求項５は、請求項２〜４のいずれか１項記載の特徴アイテム抽出システムにおいて、前記頻出アイテムを、同じ文中に現れる確率の比較的高いものどうしがまとめられてクラスタ化されたものとし、前記共起確率分布の偏りの算出を、前記各アイテムと、前記クラスタ化された頻出アイテムとの間で行うものである。
【手続補正７】
【補正対象書類名】明細書
【補正対象項目名】００１０
【補正方法】変更
【補正の内容】
【００１０】
請求項６は、請求項１〜５のいずれか１項記載の特徴アイテム抽出システムにおいて、前記特徴アイテム抽出手段は、前記データ中における各頻出アイテムの頻度分布を示す情報を取得するステップと、前記頻出アイテムと各アイテムとの共起度の頻度分布を示す情報を取得するステップと、各頻出アイテムの頻度分布を示す情報と、前記共起度の頻度分布を示す情報とに基づいて、前記共起確率分布の偏りを取得するステップと、を行うものである。
【手続補正８】
【補正対象書類名】明細書
【補正対象項目名】００１１
【補正方法】変更
【補正の内容】
【００１１】
請求項７は、請求項６記載の特徴アイテム抽出システムにおいて、前記各頻出アイテムの頻度分布を示す情報とは、各頻出アイテムの出現確率を示す情報であるとする。
【手続補正９】
【補正対象書類名】明細書
【補正対象項目名】００１２
【補正方法】変更
【補正の内容】
【００１２】
請求項８は、請求項１〜７のいずれか１項記載の特徴アイテム抽出システムにおいて、前記共起確率分布の偏りを、下記式におけるχ２値の大きさとして算出するものである。
【数１】
2003067412.tif 000002
ただし、この式において、ｗ：アイテム、ｇ：頻出アイテム、Ｇ：全頻出アイテムの集合、ｐｇ：頻出アイテム(g)の出現確率、ｎｗ：アイテム(w)と全頻出アイテムの集合(Ｇ)中の頻出アイテムとの共起頻度の総数、cooc(w,g)：アイテム(w)と頻出アイテム(ｇ)との共起度数、である。
【手続補正１０】
【補正対象書類名】明細書
【補正対象項目名】００１３
【補正方法】変更
【補正の内容】
【００１３】
請求項９は、請求項８に記載の特徴アイテム抽出システムにおいて、pｇ=（頻出アイテム(ｇ)の出現頻度）／（集合(Ｇ)に属する頻出アイテム(ｇ)全体の出現頻度の合計）であり、ｎｗ
は、アイテム(ｗ)と集合(Ｇ)中の頻出アイテム(ｇ)との共起頻度の総数であるとする。
【手続補正１１】
【補正対象書類名】明細書
【補正対象項目名】００１４
【補正方法】変更
【補正の内容】
【００１４】
請求項１０は、請求項８に記載の特徴アイテム抽出システムにおいて、ｐｇ＝（頻出アイテム(ｇ)が出現する文の語数の合計）／（文書全体の語数の合計）であり、ｎｗ
は、前記アイテム(ｗ)が出現する文の語数の合計であるとする。
【手続補正１２】
【補正対象書類名】明細書
【補正対象項目名】００１５
【補正方法】変更
【補正の内容】
【００１５】
請求項１１は、以下のステップを備える特徴アイテム抽出方法となっている。データ中のアイテムから頻出アイテムを抽出する頻出アイテム抽出ステップと、各アイテムと頻出アイテムとの共起確率分布の偏りに基づいて、前記アイテムから特徴アイテムを抽出する特徴アイテム抽出ステップ。
【手続補正１３】
【補正対象書類名】明細書
【補正対象項目名】００１６
【補正方法】変更
【補正の内容】
【００１６】
請求項１２は、コンピュータに、請求項１１に記載の特徴アイテム抽出方法における前記ステップの機能を実行させる、コンピュータで実行または読み取り可能なプログラムとなっている。
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】